(57)【要約】【課題】バイパスフィルタが目詰まりしているか否かを容易に知ることができる電気掃除機を提供すること。【解決手段】プリーツフィルタ１００の除塵開始前にバイパスフィルタ（フィルタＰＦ）の目詰まり状態を検出して検出信号を制御手段（制御装置２００）に入力する目詰検出手段ＳＢが設けられていると共に、制御手段（制御装置２００）は目詰検出手段ＳＢからの検出信号が所定値を超えたときにその旨を報知手段を介して報知するようになっている。【選択図】図３７
2008036264.tif 000002
【特許請求の範囲】
【請求項１】
空気がメイン塵埃分離・捕集手段，プリーツフィルタの順に透過して電動送風機の吸込開口へ流れる吸込メイン風路と、前記プリーツフィルタに付着した細塵を落とす除塵手段と、前記除塵手段により除塵された細塵を空気と共に前記メイン塵埃分離・捕集手段へ戻す細塵戻し風路と、前記吸込メイン風路に並設されて空気が前記メイン塵埃分離・捕集手段から前記吸込開口へバイパスフィルタを介して流れるバイパス風路と、前記プリーツフィルタの直上流に大気を洗浄風として導入する洗浄風導入風路と、
前記メイン塵埃分離・捕集手段への吸込風路の開閉をする第１開閉弁と、前記細塵戻し風路の開閉をさせる第２開閉弁と、前記メイン塵埃分離・捕集手段と前記プリーツフィルタとの間の吸込風路の開閉をさせる第３開閉弁と、前記プリーツフィルタと前記吸込開口との間の吸込流風路の開閉をさせる第４開閉弁と、前記バイパス風路の開閉をさせる第５開閉弁と、前記洗浄風導入風路を開閉させる第６開閉弁とを備えると共に、
清掃時には前記第１，第３，第４開閉弁で前記各吸込風路をそれぞれ開かせ且つ前記第２，第５，第６開閉弁で前記細塵戻し風路，バイパス風路及び洗浄風導入風路をそれぞれ閉じさせる一方、前記プリーツフィルタの除塵時には前記第１，第３，第４開閉弁で前記各吸込風路をそれぞれ閉じさせ且つ前記第２，第５，第６開閉弁で前記細塵戻し風路，バイパス風路及び洗浄風導入風路をそれぞれ開かせる電気掃除機であって、
前記プリーツフィルタの除塵開始前に前記バイパスフィルタの目詰まり状態を検出して検出信号を制御手段に入力する目詰検出手段が設けられていると共に、前記制御手段は目詰検出手段からの検出信号が所定値を超えたときにその旨を報知手段を介して報知することを特徴とする電気掃除機。
【請求項２】
請求項１に記載の電気掃除機において、前記メイン塵埃分離・捕集手段の集塵室内の集塵量を検出して集塵量検出信号を出力する集塵量センサが設けられていると共に、前記制御手段は、前記集塵量検出信号から前記集塵室の集塵量が満杯であるか否かを判断して、満杯でなければ前記プリーツフィルタの除塵時に前記バイパスフィルタの目詰まり状態を前記目詰検出手段で検出させることを特徴とする電気掃除機。
【発明の詳細な説明】
【技術分野】
【０００１】
この発明は、プリーツフィルタの除塵手段を設けた電気掃除機に関するものである。
【背景技術】
【０００２】
この種の電気掃除機では、電動送風機で発生させられる吸込負圧により、吸込風路に吸い込まれた空気がメイン塵埃分離・捕集手段，プリーツフィルタの順に透過して電動送風機の吸込開口へ流れるようにすると共に、プリーツフィルタの下流側をコードリールに連動する叩き部材等で叩くことにより、プリーツフィルタの上流側の面に付着した細塵を叩き落として、下方の細塵捕集室に捕集させるようにしたものが知られている（例えば、特許文献１参照）。
【特許文献１】特開２００４−２１６００９号公報
【発明の開示】
【発明が解決しようとする課題】
【０００３】
しかしながら、従来は、細塵捕集室に捕集した細塵は次の電動送風機の動作時にプリーツフィルタに付着するという問題があった。
【０００４】
これを解決するため、プリーツフィルタの除塵時に、吸込口体からメイン塵埃分離・捕集手段へ空気が吸い込まれないようにし、且つ、プリーツフィルタを介して電動送風機に空気が流れないようにすると共に、外気をプリーツフィルタの上流側に洗浄空気として吸い込んで、プリーツフィルタからたたき落とされた細塵を吸い込まれた洗浄空気の流れによりメイン塵埃分離・捕集手段に戻すことが考えられている。
【０００５】
この場合、洗浄空気の流れを形成するためには、メイン塵埃分離・捕集手段から電動送風機の吸込開口へのバイパス風路を設ける必要がある。しかも、バイパス風路にバイパスフィルタを設ける必要がある。
【０００６】
しかし、このバイパスフィルタが目詰まりしたときには、洗浄空気の流れが生じなくなるので、バイパスフィルタが目詰まりしているか否かを知る必要がある。
【０００７】
そこで、この発明は、バイパスフィルタが目詰まりしているか否かを容易に知ることができる電気掃除機を提供することを目的とするものである。
【課題を解決するための手段】
【０００８】
この目的を達成するため、この発明の電気掃除機は、空気がメイン塵埃分離・捕集手段，プリーツフィルタの順に透過して電動送風機の吸込開口へ流れる吸込メイン風路と、前記プリーツフィルタに付着した細塵を落とす除塵手段と、前記除塵手段により除塵された細塵を空気と共に前記メイン塵埃分離・捕集手段へ戻す細塵戻し風路と、前記吸込メイン風路に並設されて空気が前記メイン塵埃分離・捕集手段から前記吸込開口へバイパスフィルタを介して流れるバイパス風路と、前記プリーツフィルタの直上流に大気を洗浄風として導入する洗浄風導入風路を備えている。
【０００９】
しかも、この電気掃除機は、前記メイン塵埃分離・捕集手段への吸込風路の開閉をする第１開閉弁と、前記細塵戻し風路の開閉をさせる第２開閉弁と、前記メイン塵埃分離・捕集手段と前記プリーツフィルタとの間の吸込風路の開閉をさせる第３開閉弁と、前記プリーツフィルタと前記吸込開口との間の吸込流風路の開閉をさせる第４開閉弁と、前記バイパス風路の開閉をさせる第５開閉弁と、前記洗浄風導入風路を開閉させる第６開閉弁とを備えている。
【００１０】
その上、清掃時には前記第１，第３，第４開閉弁で前記各吸込風路をそれぞれ開かせ且つ前記第２，第５，第６開閉弁で前記細塵戻し風路，バイパス風路及び洗浄風導入風路をそれぞれ閉じさせる一方、前記プリーツフィルタの除塵時には前記第１，第３，第４開閉弁で前記各吸込風路をそれぞれ閉じさせ且つ前記第２，第５，第６開閉弁で前記細塵戻し風路，バイパス風路及び洗浄風導入風路をそれぞれ開かせるようになっている。
【００１１】
更に、前記プリーツフィルタの除塵開始前に前記バイパスフィルタの目詰まり状態を検出して検出信号を制御手段に入力する目詰検出手段が設けられていると共に、前記制御手段は目詰検出手段からの検出信号が所定値を超えたときにその旨を報知手段を介して報知するようになっている。
【発明の効果】
【００１２】
この構成によれば、バイパスフィルタが目詰まりしているか否かを容易に知ることができる。
【発明を実施するための最良の形態】
【００１３】
以下、この発明の実施の形態を図面に基づいて説明する。
【００１４】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには電動送風機２４の駆動を停止する切スイッチ１３ａや電動送風機２４のパワーを設定する強弱スイッチ１３ｂなどが設けられている。
【００１５】
吸込口体１５には、その底面に塵埃を吸引する図示しない吸込開口（塵埃吸込口）を形成した吸込室（図示せず）が形成されており、この吸込室は延長管１４と集塵ホース１２と接続口１１Ａを介して掃除機本体１１内に設けた集塵ユニット５０（図１０参照）の吸込接続口５７Ａに連通している。
【００１６】
掃除機本体１１は、本体ケース２０と、本体ケース２０内に装着された集塵ユニット５０（図２参照）と、電動送風機２４とを備えている。
【００１７】
本体ケース２０の前側には、図２ないし図４に示すように、上部開口２２Ａを有する集塵ユニット室２２が形成され、本体ケース２０の上部に蓋ケース５００（図１参照）が開閉自在に取り付けられている。この蓋ケース５００により集塵ユニット室（収納室）２２とともに本体ケース２０の上部全体が覆われている。本体ケース２０は蓋ケース５００により密閉されないようになっている。
【００１８】
また、集塵ユニット室２２内には、後述する集塵容器４１０（図１１）をポップアップするポップアップ機構１０００（図７参照）が設けられている。
【００１９】
また、図１に示すように蓋ケース５００の両側部の下部には斜め下方に延びた一対の脚部５０１が形成され、この脚部５０１の下部５０１Ａが本体ケース２０に設けた円筒車軸１７（図５参照）に回動可能に装着されるとともに、円筒車軸１７に取り付けられた後輪１６を覆っている。そして、図５に示すように円筒車軸１７内には捩りコイルバネ１８が装着され、捩りコイルバネ１８の一端は円筒車軸１７に固定され、捩りコイルバネ１８の他端１８Ａは脚部５０１（図１参照）に固定されており、この捩りコイルバネ１８は蓋ケース５００を円筒車軸１７を中心にして図１において時計回りに付勢している。
【００２０】
実際には、円筒車軸１７に回転体９００（図２参照）を回転自在に装着させ、この回転体９００のアーム部９０１の突起９０２（図１４参照）に捩りコイルバネ１８の他端１８Ａを係止させ、アーム部９０１を蓋ケース５００の脚部５０１内に係止させて、蓋ケース５００を時計回りに付勢するものである。
【００２１】
そして、蓋ケース５００は円筒車軸１７を中心にして時計回りに回動することにより蓋ケース５００が図１６の鎖線で示すように開成するようになっている。
【００２２】
蓋ケース５００の前側には、図６および図７に示すようにほぼ逆Ｌ字形の係合部材５１０が設けられている。
【００２３】
また、本体ケース２０の電動送風機２４の前側（図１において左側）に前面開口２５Ｂ（図１４参照）を有する円筒状の接続風路部（接続風路）２５（図２７参照）が形成され、この接続風路部２５は電動送風機２４の吸込開口２４Ａに連通している。
【００２４】
接続風路部２５の前面開口２５Ｂには図１４に示すように回転自在な格子部材６００が設けられており、この格子部材６００はモータＭ１（図３７参照）により回転するようになっている。
【００２５】
接続風路部２５内には、図２７に示すように、電動送風機２４の吸込開口２４Ａに連通した吸込管２７が設けられており、この吸込管２７の先端部には開口（吸込風路）２７Ａを開閉する第４開閉弁２８が設けられている。この第４開閉弁２８の開閉動作はモータＭ２（図３７参照）によって行われる。
【００２６】
格子部材６００には図１４に示すように複数の突起６０１が設けられており、この突起６０１は後述するプリーツフィルタ（第２塵埃分離手段）１０４（図１３参照）の谷部に係合して、後述するプリーツフィルタ体１００を回転させていくようになっている。このプリーツフィルタ体１００を回転させることにより、後述する除塵機構２０００（図３１参照）の除塵手段２１００がプリーツフィルタ１０４に付着した細塵を落としていく。
【００２７】
本体ケース２０の接続口１１Ａの上には、閉成された蓋ケース５００をロックするクランプ７００が設けられている。
【００２８】
このクランプ７００は、図７および図８に示すように、上面が曲面に形成された操作部７０１を有しており、この操作部７０１の後面７０１Ａの両側には後方（図６,７において右側）へ突出した支持板部７０２,７０２が形成され、この支持板部の外側面に軸部７０３,７０３が形成されている。
【００２９】
この軸部７０３,７０３は、図３に示すように本体ケース２０に設けた軸受部２７,２７に回動自在に保持されている。そして、クランプ７００は図示しないスプリングにより図７において軸部７０３を中心にして時計回りに付勢されている。クランプ７００は図示しない規制部材より図７に示す位置より時計回りに回動しないようになっている。
【００３０】
そして、クランプ７００は、操作部７０１が上から下方に押されると、図示しないスプリングの付勢力に抗して図７に示す位置から軸部７０３,７０３を中心にして反時計回りに回動するようになっている。
【００３１】
操作部７０１の前端には下方に延びた前壁部７０４が形成され、この前壁部７０４の下部には後方へ延びた押圧部７０５が形成されている。この押圧部７０５の後部には上方へ延びた支持部７０６が形成され、この支持部７０６の上部には係止爪７０７が形成されている。
【００３２】
この係止爪７０７は、図６および図７に示すように蓋ケース５００の係合部材５１０の先端部５１１に係合して、蓋ケース５００を本体ケース２０にロックするようになっている。
【００３３】
クランプ７００が時計回りに回動されると、図９に示すように、クランプ７００の係止爪７０７は蓋ケース５００の係合部材５１０の先端部５１１から外れ、蓋ケース５００のロックが解除される。
【００３４】
集塵ユニット５０は、図１０に示すように、塵埃分離ユニット４００と、この塵埃分離ユニット４００に着脱自在に装着される集塵容器４１０とを備えている。
【００３５】
塵埃分離ユニット４００は、塵埃分離部（第１塵埃分離手段）５２と、塵埃分離部５２と一体となっているフィルタ部８０とを備えている。この塵埃分離部５２と集塵容器４１０はメイン塵埃分離・捕集手段を構成している。
【００３６】
塵埃分離部５２は、図１０および図１２に示すように外周壁５３によって円筒状に形成された分離室部（上流風路）５４と、この分離室部５４内に分離室部５４の軸線に沿って設けられたほぼ円錐形状の塵埃分離手段５５と、分離室部５４の右側壁５４Ａの外側に設けた吸引風路部（案内風路）５６と、吸込接続口（吸込風路である塵埃吸込口）５７Ａから分離室部５４へ空気を案内する案内風路体５７とを有している。吸込接続口５７Ａは、塵埃分離ユニット４００が掃除機本体１１の集塵ユニット室２２に装着されると、掃除機本体１１の接続口１１Ａに連通されるようになっている。なお、吸引風路部５６は案内風路体５７の下に設けられている。
【００３７】
分離室部５４の外周壁５３の上部には、図１２に示すように、空気から分離された塵埃を集塵容器４１０へ導入する導入開口５３Ａが形成されている。また、図２３に示すように円弧面を形成している外周壁５３の下部側には戻し開口５３Ｄが形成されている。この戻し開口５３Ｄには第２開閉弁Ｋ２が開閉可能に設けられている。戻し開口５３Ｄには図２４および図２５に示すように戻り風路管２５１０の一端が接続されている。戻り風路管２５１０は戻り風路（細塵戻し風路）２５１１を形成している（図２１および図２２参照）。
【００３８】
第２開閉弁Ｋ２の一端に軸部ＫＪ１が形成され、図２４に示すように軸部ＫＪ１が分離室部５４の上流側に回動自在に軸支され、第２開閉弁Ｋ２の他端が分離室部５４の下流側に位置されている。そして、第２開閉弁Ｋ２は図２５に示すように軸部ＫＪ１を中心にして反時計回りに回動することにより開成する。
【００３９】
この第２開閉弁Ｋ２は、後述する接続開口５４Ａａから分離室部５４内へ導入される空気によって閉成され、戻り風路管２５１０から分離室部５４内へ戻される空気によって開成するようになっている。
【００４０】
案内風路体５７には、図２３に示すように分離室部５４に連通する接続開口５４Ａａが形成され、この接続開口５４Ａａには第１開閉弁Ｋ１が開閉可能に設けられている。そして、この第１開閉弁Ｋ１が実線位置に切り換えられると接続開口５４Ａａは閉成され、鎖線位置へ切り換えられると接続開口５４Ａａは開成されることになる。案内風路体５７から接続開口５４Ａａを介して分離室部５４内へ導入される空気は図１０において反時計回りに回転させるようになっている。
【００４１】
また、分離室部５４の右側壁５４Ａには、円形の開口１５４Ａ（図１０参照）と扇状の開口１５４Ｂ（図１２および図２４参照）とが形成され、開口１５４Ａには塵埃分離手段５５が取り付けられており、開口１５４ＢにはネットフィルタＮＦ２（図２４参照）が取り付けられている。
【００４２】
塵埃分離手段５５は、複数の枠５５ａと、この枠５５ａの周囲に貼り付けたネットフィルタＮＦ１とから構成されている。そして、吸引風路部５６は、右側壁５４Ａの開口１５４Ａ（図１０参照）およびネットフィルタＮＦ１（図１２参照）を介して分離室部５４内に連通し、また右側壁５４Ａの開口１５４ＢのネットフィルタＮＦ２（図示せず）を介して分離室部５４内に連通している。
【００４３】
吸引風路部５６の底部には、図１２に示すように開口５６Ｄが形成され、この開口５６Ｄにはフィルタ（プリーツフィルタ）ＰＦがバイパスフィルタとして取り付けられている。また、開口５６Ｄにはバイパス風路２５００（図２１参照）を形成するバイパス風路管２５０１の一端が図２６に示すように接続されている。
【００４４】
バイパス風路管２５０１の他端は図２７に示すように吸込管２７に接続されており、このバイパス風路管２５０１を介して吸引風路部５６と吸込管２７とが連通している。そして、バイパス風路管２５０１には第５開閉弁（電磁弁）２５０２が設けられている。
【００４５】
吸引風路部５６は、後述するフィルタ部８０の収納ケース（第２塵埃分離ケース）８１内に連通しているとともに、その右側壁部１５６（図１２参照）に形成した接続開口５６Ａを介して後述する集塵ケース部７４の集塵室７３に連通している。
【００４６】
集塵容器４１０は、図１１および図１２に示すように、上部に左右方向に延びた連通路７１を形成した連通ケース部７２と、この連通ケース部７２の右端部（図１２において）から下方に延びるとともに塵埃を集塵する集塵室部７３を形成した集塵ケース部７４とを有している。
【００４７】
連通ケース部７２の下面には、図１１に示すように連通路７１（図１２参照）に連通する開口７２Ａと、フック７２Ｆと、凹部７３とが形成されている。凹部７３内には上下方向に延びたリブ７２Ｒが形成されている。開口７２Ａは図１２に示すように塵埃分離部５２の導入開口５３Ａに接続されている。
【００４８】
また、集塵ケース部７４の左側壁部７４Ａには接続開口７５が形成されており、この接続開口７５にはネットフィルタＮＦ３が取り付けられている。そして、凹部７３とネットフィルタＮＦ３との間には集塵室７４Ｂが集塵部として形成されている。
【００４９】
また、集塵ケース部７４は開閉可能な蓋部７４Ａを有しており、図１１に示すように蓋部７４Ａの下部には下方に延びたリブ７４Ｒが形成されている。蓋部７４Ａは、軸線７４Ｊ回りに回動可能になっており、この回動によって開閉するものである。
【００５０】
そして、集塵容器４１０を塵埃分離ユニット４００に装着すると、図１２に示すように、集塵容器４１０の開口７２Ａに塵埃分離部５２の導入開口５３Ａが接続され、集塵容器４１０の接続開口７５が塵埃分離ユニット４００の吸込風路部５６の接続開口５６Ａに接続されるようになっている。
【００５１】
フィルタ部８０は、図１３に示すように後面が開口されるとともに円筒状の収納ケース８１と、この収納ケース８１内に回転自在に取り付けられたプリーツフィルタ体（二次フィルタ）１００とを有している。収納ケース８１の前壁部８４の前面には塵埃分離部５２（図１０参照）が一体に形成されている。
【００５２】
収納ケース８１の前壁部８４には、図１２および図１３に示すように接続開口８４Ａが形成され、この接続開口８４Ａが吸引風路部５６に接続されている。そして、その接続開口８４Ａを介して収納ケース８１内と吸引風路部５６とが連通している。
【００５３】
前壁部８４の上部には、図２９に示すように収納ケース８１内に外気を導入させる外気導入口（洗浄風導入風路）８４Ｆが形成され、前壁部８４の前面には図３０に示すように外気導入口８４Ｆを開閉する第６開閉弁Ｋ６が設けられている。この第６開閉弁Ｋ６は弾性部材８６により外気導入口８４Ｆを閉成する方向に付勢されている。
【００５４】
第６開閉弁Ｋ６には図２９に示す当接片８７が設けられており、この当接片８７が外気導入口８４Ｆから収納ケース８１内へ突出している。当接片８７には、右にいくにしたがって（図２９において）収納ケース８１内への突出量が大きくなる傾斜面８７ａが形成されている。そして、当接片８７を弾性部材８６の付勢力に抗して押圧すると、第６開閉弁Ｋ６は開成して外気導入口８４Ｆから収納ケース８１内に外気が導入されるようになっている。
【００５５】
また、図２８に示すように収納ケース８１の周壁部８２の底部に底部開口８２Ａが形成され、この底部開口８２Ａには戻り風路管２５１０の他端部が接続されている。この戻り風路管２５１０によって後述するプリーツフィルタ体１００の上流側の収納ケース８１内と塵埃分離部５２の分離室部５４内とが連通されている（図２１参照）。
【００５６】
プリーツフィルタ体１００は、図１３に示すように、収納ケース８１の中心位置に設けた軸部１０１Ａから放射状にプリーツを形成したプリーツフィルタ１０４を有している。この軸部１０１Ａは後述する軸２００１（図３１参照）に回転自在に装着されている。
【００５７】
そして、本体ケース２０の集塵ユニット室２２に集塵ユニット５０を装着すると、収納ケース８１の後面開口８１Ｂが本体ケース２０の接続風路部２５の前面開口２５Ｂ（図１４参照）に接合される。
【００５８】
ポップアップ機構１０００は、図７に示すように、集塵容器４１０をポップアップ（集塵容器４１０をスプリングにより上に持ち上げること）させる一対のポップアップ手段１１００,１１１０（図３参照）と、集塵容器４１０を塵埃分離ユニット４００の装着位置に固定するロック手段１２００と、このロック手段１２００のロックを解除させる解除手段１３００とを備えている。
【００５９】
ポップアップ手段１１００は、塵埃分離ユニット４００の塵埃分離部５２の外周壁５３の上面に設けられ且つ上方に延びるとともに断面が方形の筒状のガイドケース１１０１と、このガイドケース１１０１内に配置されたスプリング１１０２（図３において省略）とを有している。ガイドケース１１０１には上下方向に延びる一対のスリット１１０３（図３参照）が形成されている。
【００６０】
ポップアッ手段１１１０は、同様にして集塵ユニット室２２に設けられた筒状のガイドケース１１１１（図３参照）と、このガイドケース１１１１内に配置されたスプリング１１１２とを有している。ガイドケース１１１１には上下方向に延びる一対のスリット１１１３（図３参照）が形成されている。
【００６１】
そして、集塵容器４１０を塵埃分離ユニット４００に装着すると、集塵容器４１０のリブ７２Ｒ,７４Ｒ（図１１参照）がガイドケース１１０１,１１１１のスリット１１０３,１１１３に入り込んでスプリング１１０２,１１１２（図７参照）を付勢力に抗して圧縮させる。このスプリング１１０２,１１１２の付勢力によって集塵容器４１０を上方に付勢するものである。
【００６２】
ロック手段１２００は、案内風路体５７の上部に前後方向（図７において左右方向）に移動可能に設けられるとともに前後方向に延びたスライド部材１２０１と、このスライド部材１２０１を前後方向へガイドするとともに覆ったガイドカバー１２０２（図４参照）と、スライド部材１２０１を左方向（図７において）へ付勢するスプリング（図示せず）とを備えている。
【００６３】
スライド部材１２０１の後部側には、上方に突出した断面が矩形の筒部１２０３が形成され、この筒部１２０３がガイドカバー１２０２の開口１２０２Ａ（図３参照）から突出している。筒部１２０３の前後方向の長さはその開口１２０２Ａの前後方向の幅より短く設定され、スライド部材１２０１の前後方向の移動に支障を来さないようになっている。
【００６４】
そして、筒部１２０３の上面には開口１２０４が形成され、集塵容器４１０を塵埃分離ユニット４００に装着すると、集塵容器４１０のフック７２Ｆがその開口１２０４に入り込んでその縁部（固定手段）１２０４ａに係合され、この係合により集塵容器４１０が図７に示す位置（装着位置）にロックされるようになっている。
【００６５】
解除手段１３００は、スライド部材１２０１と、このスライド部材１２０１を右方（図７において）へ移動させるクランプ７００の押圧部７０５等とから構成される。そして、クランプ７００は操作部７０１が上から押されて図９に示すように回動すると、クランプ７００の押圧部７０５が図示しないスプリングの付勢力に抗してスライド部材１２０１の先端部１２０１ａに当接してスライド部材１２０１を右方へ移動させる。この移動により、集塵容器４１０のフック７２Ｆがスライド部材１２０１の筒部１２０３の開口１２０４の縁部１２０４ａから外れ、集塵容器４１０のロックが解除される。
【００６６】
除塵機構２０００は、図３１および図３２に示すように、収納ケース８１の中央部に回動自在に設けた軸２００１と、この軸２００１に装着されるとともに上方に延びたアーム２００２と、このアーム２００２の上部（先端部）に設けられた除塵手段２１００とを備えている。アーム２００２の下部には第３開閉弁Ｋ３が一体に設けられており、この第３開閉弁Ｋ３はアーム２００２および軸２００１とともに一体に回動していき、図３１に示す位置に回動されると収納ケース８１の接続開口（吸込風路）８４Ａを閉成する。
【００６７】
また、アーム２００２および第３開閉弁Ｋ３が鎖線位置まで反時計回りに回動すると収納ケース８１の接続開口８４Ａは開成される。
【００６８】
アーム２００２が図３１に示す位置に位置しているとき、アーム２００２の先端部の軸部２０１１が図３４に示すように第６開閉弁Ｋ６の当接片８７の傾斜面８７ａに当接して第６開閉弁Ｋ６を弾性部材８６の付勢力に抗して押圧し、第６開閉弁Ｋ６が図３３に示すように開成する。
【００６９】
除塵手段２１００は、図３２,図３５および図３６に示すように、アーム２００２の先端の軸心部２００２Ａに回動可能に設けた軸部２１０１と、この軸部２１０１から外方へ突出した一対の支持部２１０２と、この支持部２１０２の先端部に回動自在に設けたローラ２１０３と、軸部２１０１から外方へ突出した突起２１０４とを有している。一対の支持部２１０２は互いに所定角度をなして配置され、突起２１０４は所定角度を２等分する線上であって支持部２１０２と反対側に配置されている。
【００７０】
ローラ２１０３は図１８に示すように収納ケース８１の前壁部８４の溝８４Ｍの底面８４Ｍａに当接し、突起２１０４はプリーツフィルタ１０４の山部に当接するようになっている。溝８４Ｍは図２９および図３１に示すように円弧状に形成され、この溝８４Ｍの両端部でアーム２００２の回動を規制し、アーム２００２は溝８４Ｍの範囲内、すなわち図３１に示す実線位置と鎖線位置との範囲内で回動可能となっている。
【００７１】
そして、突起２１０４は軸部２１０１とともに軸心２００２Ａを中心にして左右方向（図３５において）に回動可能となっており、スプリングＢＮ（図１８参照）の付勢力により突起２１０４は図３２および図３５に示す元の位置に戻るようになっている。
【００７２】
そして、プリーツフィルタ１０４が回転していくと、プリーツフィルタ１０４の山部に当接した突起２１０４は軸部２１０１とともに軸心２００２Ａを中心にして回動していく。プリーツフィルタ１０４が所定角度回転されると、突起２１０４はプリーツフィルタ１０４の山部を乗り越えてスプリングの付勢力により元の位置に戻る。このとき、突起２１０４が次のプリーツフィルタ１０４の山部を叩き、これによりプリーツフィルタ１０４に振動を与えてプリーツフィルタ１０４に付着している細塵を落とす。
【００７３】
収納ケース８１に設けた軸２００１は、図１８に示すように前壁部８４を貫通して前方に突出しており、この軸２００１の先端部には、第１開閉弁Ｋ１を開閉する開閉機構２２００のギア２２０１が設けられている。
【００７４】
開閉機構２２００は、図１９および図２０に示すように、ギア２２０１に噛合したラック２２０２と、このラック２２０２を有するとともに左右方向に移動可能なスライド板２２０３と、このスライド板２２０３の一端（図１９において左端）から前方へ延びるとともに先端にピン２２０５を設けた支持部２２０４と、そのピン２２０５が係合した長孔２２０６を有し且つ第１開閉弁Ｋ１の軸２２０７から延びたアーム２２０８とを有している。
【００７５】
スライド板２２０３には長孔２２０３Ａが形成され、この長孔２２０３内に軸２００１が挿入されており、この長孔２２０３に沿って軸２００１が相対移動することによりスライド板２２０３の左右方向の移動に支障を来さないようになっている。
【００７６】
また、アーム２２０８の長孔２２０６に係合したピン２２０５はその長孔２２０６に沿って相対的に移動可能となっている。このため、スライド板２２０３が左右方向に移動することによってアーム２２０８が軸２２０７とともに回動し、この軸２２０７の回動により第１開閉弁Ｋ１が開成する。
【００７７】
例えば、スライド板２２０３が図１９および図２０に示す位置に位置しているとき、第１開閉弁Ｋ１は図２３に示すように案内風路体５７の接続開口５４Ａａを閉成する。このとき、第６開閉弁Ｋ６は図３３に示すように開成され、第３開閉弁Ｋ３は図３１に示すように収納ケース８１の接続開口８４Ａを閉成する。
【００７８】
また、スライド板２２０３が図１９および図２０に示す位置から右方向へ移動すると、第１開閉弁Ｋ１は図２３に示す鎖線位置へ移動し、接続開口５４Ａａは開成され、第６開閉弁Ｋ６は図１９および図２０に示すように閉成し、第３開閉弁Ｋ３は図３１の鎖線で示す位置に移動して収納ケース８１の接続開口８４Ａを開成する。
【００７９】
図３７は電気掃除機の制御系の構成を示したブロック図である。図３７において、２００は操作部１３Ａの操作に基づいてモータＭ１,Ｍ２や電磁弁２５０２を制御する制御装置（制御手段）である。この制御装置２００には、集塵容器４１０内の集塵室７３Ｂ（図１２参照）内に捕集される塵埃の量を検出して集塵量検出信号を出力する集塵量検出センサＳＡが接続されている。また、この制御装置２００には、バイパスフィルタであるフィルタＰＦの目詰量をプリーツフィルタ１００の除塵時に電動送風機２４の吸込風量から検出して検出信号を出力する目詰検出手段ＳＢが接続されている。
【００８０】
集塵量検出センサＳＡとしては、発光素子と受光素子からなる光電センサを用いることができる。例えば、集塵容器４１０の集塵ケース７４を透明樹脂から形成しておいて、この集塵容器４１０が掃除機本体１１に設けた集塵ユニット室２２内の所定の位置に装着されたときに、集塵ケース７４の上部の部分を挟む位置に光電センサの発光素子と受光素子が位置するように、発光素子と受光素子を集塵ユニット室２２内に取り付けた構成とすることができる。
【００８１】
また、目詰検出手段ＳＢとしては、電動送風機２４の電流を検出することにより電動送風機２４の吸込風量を検出する電流検出回路を用いることもできるし、電動送風機２４の吸込負圧を検出することにより電動送風機２４の吸込風量を検出する風量検出手段を用いることもできる。この風量検出手段にはシリンダ式ゴミ詰検出手段を用いることもできる。即ち、シリンダ式ゴミ詰検出手段は、シリンダ内にコイルスプリングで付勢されたピストンを配設し、このピストンに大気と電動送風機２４に設けた吸込開口２４Ａの直上流に連通するリーク風路を形成する共に、このピストンの移動量を検出するスライド式可変抵抗器を設けた構成とすることもできる。この場合、スライド式可変抵抗器の出力変化から電動送風機２４の吸込風量を検出できる。
【００８２】
そして、電動送風機２４の吸込風量が少なくなるに従って、バイパスフィルタであるフィルタＰＦの目詰量が進行していることを判断できる。従って、目詰検出手段ＳＢからの検出信号が所定値を超えたときに、即ち目詰検出手段ＳＢが電動送風機２４の電流検出回路である場合には、電流検出回路により検出される電流値が所定値以上となったときバイパスフィルタであるフィルタＰＦの目詰がかなり進行していると判断できる。または、目詰検出手段ＳＢがシリンダ式ゴミ詰検出手段である場合には、スライド式可変抵抗器の出力変化が所定値を超えたとき、バイパスフィルタであるフィルタＰＦの目詰がかなり進行していると判断できる。
【００８３】
これらの場合には、プリーツフィルタ１００の除塵をする際に、第６開閉弁Ｋ６で開いて、外気を洗浄空気として外気導入口８４Ｆからプリーツフィルタ１００の直上流に導入しても、フィルタＰＦの目詰のためにバイパス風路２５００内に空気が殆ど流入しないので、塵手段２１００によりプリーツフィルタ１００から落とされた細塵が戻り風路２５１１を介して塵埃分離手段５５及び集塵室７３Ｂ側に流れないことになる。
【００８４】
この結果、バイパスフィルタであるフィルタＰＦの目詰がかなり進行している場合、プリーツフィルタ１００の除塵時に外気を洗浄空気として外気導入口８４Ｆからプリーツフィルタ１００の直上流に導入する意味がなくなるので、その旨を報知する必要がある。
【００８５】
従って、制御装置２００にスピーカー等の報知手段ＳＰを接続しておいて、バイパスフィルタであるフィルタＰＦの目詰がかなり進行している場合、制御装置２００は、プリーツフィルタ１００の除塵開始前に制御装置２００に接続されたスピーカー等の報知手段ＳＰにより音声で、「フィルタＰＦが目詰まりしています。フィルタＰＦを洗浄して下さい。」又は「フィルタＰＦが目詰まりしています。フィルタＰＦを交換して下さい。」等その他のメッセージを報知させるようになっている。しかも、この場合に制御装置２００は、除塵開始のタイミングであっても、モータＭ１を駆動させないようにすることで、除塵手段２１００によるプリーツフィルタ１００の除塵をさせないように設定されている。
【００８６】
また、集塵室７３Ｂ内の集塵量が所定量を超えた場合には、プリーツフィルタ１００の除塵時に、除塵手段２１００によりプリーツフィルタ１００から落とされた細塵が洗浄空気により戻り風路２５１１を介して塵埃分離手段５５側に流れても、集塵室７３Ｂ側に流れず、塵埃分離手段５５を透過してフィルタＰＦ側に流れて、フィルタＰＦの目詰まりの原因になるので、この場合にはプリーツフィルタ１００の除塵をしない方がよい。この場合には、フィルタＰＦの目詰まり検出やプリーツフィルタ１００の除塵をしない方が良い。
【００８７】
従って、制御装置２００は、プリーツフィルタ１００の除塵開始前に、集塵量検出センサＳＡにより集塵室７３Ｂ内の集塵量が所定値以上になったのが検出されたときに、目詰検出手段ＳＢによる目詰まり検出をしないように設定されている。しかも、この場合に制御装置２００は、プリーツフィルタ１００の除塵開始前に、スピーカー等の報知手段ＳＰ等により「集塵室の塵埃を捨てて下さい。」等のメッセージを報知すると共に、除塵開始のタイミングであっても、モータＭ１を駆動させないようにすることで、除塵手段２１００によるプリーツフィルタ１００の除塵をさせないように設定されている。
［動  作］
次に、上記のように構成される電気掃除機の動作について説明する。
【００８８】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００８９】
このとき、図２１に示すように、第１開閉弁Ｋ１と第３開閉弁Ｋ３と第４開閉弁２８とが開成しており、第２開閉弁Ｋ２と第５開閉弁２５０２と第６開閉弁Ｋ６とが閉成されている。
【００９０】
すなわち、スライド板２２０３が図１９および図２０に示す位置から右方向へ移動されており、第１開閉弁Ｋ１は図２３に示す鎖線位置へ移動し、接続開口５４Ａａは開成され、第６開閉弁Ｋ６は図１９および図２０に示すように閉成し、第３開閉弁Ｋ３は図３１の鎖線で示す位置に移動して収納ケース８１の接続開口８４Ａを開成している。
【００９１】
手元操作管１３の操作部１３Ａのスイッチ１３ｂが操作されると、電動送風機２４が駆動される。この電動送風機２４の駆動により、電動送風機２４の吸込開口２４Ａから空気が吸い込まれて、図示しない接続風路部を介して集塵ユニット５０の収納ケース８１内に負圧が作用し、さらに吸引風路部５６を介して集塵ケース部７４内や塵埃分離部５２の分離室部５４に作用する。そして、その負圧が案内風路体５７を介して集塵ホース１２,延長管１４および吸込口体１５に作用し、吸込口体１５から空気とともに塵埃が吸引されていく。
【００９２】
この吸引された塵埃および空気が延長管１４および集塵ホース１２を介して集塵ユニット５０の吸込接続口５７Ａへ吸引されていく。この吸込接続口５７Ａへ吸引された塵埃および空気は案内風路体５７を通って塵埃分離部５２の分離室部５４内へ導入され、この分離室部５４内では図１０において反時計回りに回転していく。この空気の流れによって、第２開閉弁Ｋ２は開成していても強制的に閉成されることになる。
【００９３】
そして、この回転により塵埃と空気が慣性により分離され、空気が塵埃分離手段５５のネットフィルタＮＦ１（図１２参照）や開口１５４ＢのネットフィルタＮＦ２（図２４参照）を通り、さらに吸引風路部５６を通ってフィルタ部８０の収納ケース８１内へ吸引されていく。
【００９４】
他方、分離された塵埃は、慣性力によって分離室部５４の導入開口５３Ａから集塵容器４１０の連通ケース部７２内へ一部の空気とともに導入される。この導入された塵埃および空気は連通ケース部７２の連通路７１を通って集塵室部７３へ吸引されていき、塵埃は集塵室部７３に集塵されていく。
【００９５】
集塵室部７３へ吸引された空気は、ネットフィルタＮＦ３を通って吸引風路部５６に吸引され、さらにフィルタ部８０の収納ケース８１内へ吸引されていく。
【００９６】
収納ケース８１内へ吸引された空気は、プリーツフィルタ体１００のプリーツフィルタ１０４を通って掃除機本体１１の接続風路部２５内の吸込管２７（図２１参照）へ吸引され、さらに電動送風機２４の吸込開口２４Ａへ吸引されていく。
【００９７】
電動送風機２４の吸込開口２４Ａへ吸引された空気は電動送風機２４内を通って図２に示す掃除機本体１１の排気口２０Ｈ（図２１参照）から排気されていく。
【００９８】
そして、掃除の終了後、集塵容器４１０に溜まった塵埃を捨てる場合、クランプ７００の操作部７０１を上から押圧する。この押圧により、クランプ７００は図示しないスプリングの付勢力に抗して図７に示す位置から軸部７０３を中心にして反時計回りに回動する。
【００９９】
クランプ７００が反時計回りに回動されると、図９に示すように、クランプ７００の係止爪７０７は蓋ケース５００の係合部材５１０の先端部５１１から外れ、蓋ケース５００のロックが解除される。このロックが解除されると、蓋ケース５００は捩りコイルバネ１８（図５参照）によって図１６の鎖線で示すように開成する。
【０１００】
他方、クランプ７００が図９に示すように回動すると、クランプ７００の押圧部７０５がスライド部材１２０１を右方へ移動させ、この移動により集塵容器４１０のフック７２Ｆがスライド部材１２０１の開口１２０４の縁部１２０４ａから外れ、集塵容器４１０のロックが解除される。そして、集塵容器４１０のリブ７２Ｒ,７４Ｒが図１５に示すようにガイドケース１１０１,１１１１のスプリング１１０２,１１１２の付勢力によって上方へ押し上げられる。すなわち、集塵容器４１０がスプリング１１０２,１１１２の付勢力によって図１７に示すようにポップアップされる。
【０１０１】
ところで、クランプ７００の押圧部７０５とスライド部材１２０１の先端部１２０１ａとの間に隙間があることにより、クランプ７００の操作部７０１を押圧すると、蓋ケース５００が開成した後に集塵ケース４１０のポップアップが行われる。
【０１０２】
このように、クランプ７００の操作部７０１を押圧するだけで、蓋ケース５００は開成して集塵容器４１０がポップアップされるので、掃除機本体１１からの集塵容器４１０の取り外しは簡単なものとなる。
（プリーツフィルタ１００の除塵及び空気洗浄）
また、制御装置２００は、手元操作管１３の操作部１３Ａの切スイッチ１３ａが操作されると、プリーツフィルタ１００の除塵開始モードになるが、この除塵開始前に集塵量検出センサＳＡからの集塵量検出信号により集塵室７３Ｂ内の集塵量が所定値以上になったか否かを判断する。即ち、集塵室７３Ｂ内の上部まで塵埃が捕集されていると、集塵量検出センサＳＡである光電センサが集塵室７３Ｂ内の塵埃を検出して集塵量検出信号を出力する。そして、この集塵量検出信号は、制御装置２００に入力される。この制御装置２００は、集塵量検出センサＳＡである光電センサから集塵量検出信号が入力されているか否かで、集塵室７３Ｂ内の集塵量が満杯であるか否かを判断する。
【０１０３】
そして、制御装置２００は、集塵量検出センサＳＡである光電センサから集塵量検出信号がない場合には、集塵室７３Ｂ内の集塵量が満杯でないと判断する。次に、制御装置２００は、目詰検出手段ＳＢからの検出信号が所定値を超えているか否かを判断する。即ち、目詰検出手段ＳＢが電動送風機２４の電流検出回路である場合には、電流検出回路により検出される電流値が所定値以上であるか否かを判断し、目詰検出手段ＳＢがシリンダ式ゴミ詰検出手段である場合には、スライド式可変抵抗器の出力変化が所定値を超えているか否かを判断する。
【０１０４】
そして、制御装置２００は、目詰検出手段ＳＢからの検出信号が所定値を超えていない場合には、プリーツフィルタ１００の除塵動作を開始する。
【０１０５】
即ち、制御装置２００は、目詰検出手段ＳＢからの検出信号が所定値を超えていない場合には、モータＭ２を駆動制御して図２２に示すように第４開閉弁２８を閉成させ、第５開閉弁２５０２を開成させる。そして、モータＭ１（図３７参照）によって格子部材６００が回転されていく。
【０１０６】
この格子部材６００の回転によりプリーツフィルタ体１００が回転し、除塵機構２０００のアーム２００２の突起２１０４がプリーツフィルタ１０４の山部に当接することにより、アーム２００２および軸２００１は図３１の鎖線位置から時計回りにプリーツフィルタ体１００とともに回転していく。
【０１０７】
そして、アーム２００２が図３１に示す位置へ回動すると溝８４Ｍの端部で規制され、アーム２００２および軸２００１の回動は停止され、プリーツフィルタ体１００だけが回転していく。
【０１０８】
アーム２００２が図３１に示す位置へ回動すると、第３開閉弁Ｋ３が収納ケース８１の接続開口８４Ａを閉成する。また、アーム２００２の軸部２０１１が第６開閉弁Ｋ６の当接片８７を押圧して第６開閉弁Ｋ６を開成する。すなわち、図３３に示すように収納ケース８１の外気導入口８４Ｆが開成される。
【０１０９】
他方、アーム２００２とともに軸２００１が回動されていくことにより、開閉機構２２００のギア２２０１が回動していき、このギア２２０１の回転によりスライド板２２０３が左方へ移動して図１９および図２０に示す位置へ移動する。このスライド板２２０３の移動により、図２３に示すように第１開閉弁Ｋ１が鎖線位置から実線位置へ移動して、案内風路体５７の接続開口５４Ａａを閉成する。
【０１１０】
このようにして、図２２に示すように第１,第２開閉弁Ｋ１,Ｋ３が閉成し、第６開閉弁Ｋ６が開成する。
【０１１１】
そして、電動送風機２４は所定のパワー（例えば、通常の清掃時の略半分程度のパワー）で駆動され、第６開閉弁Ｋ６が開成されていることにより、また蓋ケース５００が本体ケース２０に密閉して閉成されていないことにより、図２２に示すように収納ケース８１の外気導入口８４Ｆから外気が導入される。
【０１１２】
一方、アーム２００２の回転の停止により、アーム２００２の突起２１０４がプリーツフィルタ１０４の回転とともにプリーツフィルタ１０４の山部を乗り越えていき、この乗り越えるごとにアーム２００２の突起２１０４がプリーツフィルタ１０４の山部を叩いていき、プリーツフィルタ１０４に付着している細塵を落としていく。
【０１１３】
プリーツフィルタ１０４から落とされた細塵は、外気導入口８４Ｆから導入された外気によって戻し風路２５１１を通って塵埃分離部５２の分離室部５４に戻される。
【０１１４】
また、外気導入口８４Ｆから導入された外気はプリーツフィルタ１０４に当たるので、プリーツフィルタ１０４は空気洗浄されることになる。
【０１１５】
第２開閉弁Ｋ２は図２５に示すように戻し風路２５１１を通る外気によって開成されるので、プリーツフィルタ１０４から落とされた細塵は確実に塵埃分離部５２の分離室部５４へ戻すことができる。
【０１１６】
この分離室部５４へ導入された外気および細塵は図１０において反時計回りに回転していき、この回転により細塵と空気が慣性により分離され、この分離された細塵は慣性力によって分離室部５４の導入開口５３Ａから集塵容器４１０の連通ケース部７２を介して塵室部７３へ集塵されていく。
【０１１７】
また、細塵から分離された空気は、塵埃分離手段５５のネットフィルタＮＦ１（図１２参照）や開口１５４ＢのネットフィルタＮＦ２（図２５参照）を通り、さらに吸引風路部５６へ吸引されていく。吸引風路部５６へ吸引された外気はフィルタＰＦ及びバイパス風路２５００を通って吸込管２７へ吸引され、さらに電動送風機２４の吸込開口２４Ａへ吸引され、掃除機本体１１の排気口２０Ｈから排気されていく。
【０１１８】
このように、プリーツフィルタ１０４から落とされた細塵は塵埃分離部５２の分離室部５４へ戻されるので、再度プリーツフィルタ１０４に付着してしまうことが防止される。
【０１１９】
そして、所定時間が経過すると、電動送風機２４の駆動が停止されるとともに格子部材６００が所定角度だけ逆回転され、図２１に示すように、第１開閉弁Ｋ１と第３開閉弁Ｋ３と第４開閉弁２８とが開成され、第２開閉弁Ｋ２と第５開閉弁２５０２と第６開閉弁Ｋ６とが閉成される。この実施例によれば、第２開閉弁Ｋ２が空気の流れで開閉するので、その構成を簡単にすることができる。
（フィルタＰＦの目詰の報知）
また、上述したように制御装置２００は、手元操作管１３の操作部１３Ａの切スイッチ１３ａが操作されると、プリーツフィルタ１００の除塵開始モードになるが、この除塵開始前に集塵量検出センサＳＡからの集塵量検出信号により集塵室７３Ｂ内の集塵量が所定値以上なったか否かを判断する。即ち、集塵室７３Ｂ内の上部まで塵埃が捕集されていると、集塵量検出センサＳＡである光電センサが集塵室７３Ｂ内の塵埃を検出して集塵量検出信号を出力する。そして、この集塵量検出信号は、制御装置２００に入力される。この制御装置２００は、集塵量検出センサＳＡである光電センサから集塵量検出信号が入力されているか否かで、集塵室７３Ｂ内の集塵量が満杯であるか否かを判断する。
＜集塵室７３Ｂ内の集塵量が満杯の場合＞
そして、制御装置２００は、集塵量検出センサＳＡである光電センサから集塵量検出信号がある場合には、集塵室７３Ｂ内の集塵量が満杯であると判断する。
【０１２０】
この場合には、制御装置２００は、目詰検出手段ＳＢからの検出信号が所定値を超えているか否かを判断しない。しかも、この場合に制御装置２００は、プリーツフィルタ１００の除塵開始前に、スピーカー等の報知手段ＳＰ等により「集塵室の塵埃を捨てて下さい。」等のメッセージを報知すると共に、除塵開始のタイミングであっても、モータＭ１を駆動させないようにすることで、除塵手段２１００によるプリーツフィルタ１００の除塵をさせない。
＜集塵室７３Ｂ内の集塵量が満杯でない場合＞
また、制御装置２００は、集塵量検出センサＳＡである光電センサから集塵量検出信号がない場合には、集塵室７３Ｂ内の集塵量が満杯でないと判断する。この場合には、次に、制御装置２００は、目詰検出手段ＳＢからの検出信号が所定値を超えているか否かを判断する。即ち、目詰検出手段ＳＢが電動送風機２４の電流検出回路である場合には、電流検出回路により検出される電流値が所定値以上であるか否かを判断し、目詰検出手段ＳＢがシリンダ式ゴミ詰検出手段である場合には、スライド式可変抵抗器の出力変化が所定値を超えているか否かを判断する。
【０１２１】
そして、制御装置２００は、目詰検出手段ＳＢが電動送風機２４の電流検出回路である場合には、電流検出回路により検出される電流値が所定値以上となったときバイパスフィルタであるフィルタＰＦの目詰がかなり進行していると判断する。また、制御装置２００は、目詰検出手段ＳＢがシリンダ式ゴミ詰検出手段である場合には、スライド式可変抵抗器の出力変化が所定値を超えたとき、バイパスフィルタであるフィルタＰＦの目詰がかなり進行していると判断する。
【０１２２】
このようにバイパスフィルタであるフィルタＰＦの目詰がかなり進行している場合、制御装置２００は、プリーツフィルタ１００の除塵開始前に制御装置２００に接続されたスピーカー等の報知手段ＳＰにより音声で、「フィルタＰＦが目詰まりしています。フィルタＰＦを洗浄して下さい。」又は「フィルタＰＦが目詰まりしています。フィルタＰＦを交換して下さい。」等その他のメッセージを報知させる。しかも、この場合に制御装置２００は、除塵開始のタイミングであっても、モータＭ１を駆動させないようにすることで、除塵手段２１００によるプリーツフィルタ１００の除塵をさせないようにする。
【０１２３】
以上説明したように、この発明の実施の形態の電気掃除機は、空気がメイン塵埃分離・捕集手段（塵埃分離部５２，集塵容器４１０等），プリーツフィルタ１００の順に透過して電動送風機２４の吸込開口２４Ａへ流れる吸込メイン風路（図２１の矢印Ａ１〜Ａ３で流れを示す風路）と、前記プリーツフィルタ１００に付着した細塵を落とす除塵手段２１００と、前記除塵手段２１００により除塵された細塵を空気と共に前記メイン塵埃分離・捕集手段（塵埃分離部５２，集塵容器４１０等）へ戻す細塵戻し風路（戻り風路２５１１）と、前記吸込メイン風路（図２１の矢印Ａ１〜Ａ３で流れを示す風路）に並設されて空気が前記メイン塵埃分離・捕集手段（塵埃分離部５２，集塵容器４１０等）から前記吸込開口２４Ａへバイパスフィルタ（フィルタＰＦ）を介して流れるバイパス風路２５００と、前記プリーツフィルタ１００の直上流に大気を洗浄風として導入する洗浄風導入風路（外気導入口８４Ｆ）を備えている。
【０１２４】
しかも、この電気掃除機は、前記メイン塵埃分離・捕集手段（塵埃分離部５２，集塵容器４１０等）への吸込風路（吸込接続口５７Ａ）の開閉をする第１開閉弁Ｋ１と、前記細塵戻し風路（戻り風路２５１１）の開閉をさせる第２開閉弁Ｋ２と、前記メイン塵埃分離・捕集手段（塵埃分離部５２，集塵容器４１０等）と前記プリーツフィルタ１００との間の吸込風路（接続開口８４Ａ）の開閉をさせる第３開閉弁Ｋ３と、前記プリーツフィルタ１００と前記吸込開口２４Ａとの間の吸込流風路（開口２７Ａ）の開閉をさせる第４開閉弁２８と、前記バイパス風路２５００の開閉をさせる第５開閉弁２５０２と、前記洗浄風導入風路（外気導入口８４Ｆ）を開閉させる第６開閉弁Ｋ６とを備えている。
【０１２５】
その上、清掃時には前記第１，第３，第４開閉弁（Ｋ１，Ｋ３，Ｋ４）で前記各吸込風路（吸込接続口５７Ａ，接続開口８４Ａ，開口２７Ａ）をそれぞれ開かせ且つ前記第２，第５，第６開閉弁（Ｋ２，２５０２，Ｋ６）で前記細塵戻し風路（戻り風路２５１１），バイパス風路２５００及び洗浄風導入風路（外気導入口８４Ｆ）をそれぞれ閉じさせる一方、前記プリーツフィルタ１００の除塵時には前記第１，第３，第４開閉弁（Ｋ１，Ｋ３，Ｋ４））で前記各吸込風路（吸込接続口５７Ａ，接続開口８４Ａ，開口２７Ａ）をそれぞれ閉じさせ且つ前記第２，第５，第６開閉弁（Ｋ２，２５０２，Ｋ６）で前記細塵戻し風路（戻り風路２５１１），バイパス風路２５００及び洗浄風導入風路（外気導入口８４Ｆ）をそれぞれ開かせるようになっている。
【０１２６】
更に、前記プリーツフィルタ１００の除塵開始前に前記バイパスフィルタ（フィルタＰＦ）の目詰まり状態を検出して検出信号を制御手段（制御装置２００）に入力する目詰検出手段ＳＢが設けられていると共に、前記制御手段（制御装置２００）は目詰検出手段ＳＢからの検出信号が所定値を超えたときにその旨を報知手段を介して報知するようになっている。
【０１２７】
この構成によれば、バイパスフィルタが目詰まりしているか否かを容易に知ることができる。
【０１２８】
また、この発明の実施の形態の電気掃除機において、前記メイン塵埃分離・捕集手段（塵埃分離部５２，集塵容器４１０等）の集塵室内の集塵量を検出して集塵量検出信号を出力する集塵量センサＳＡが設けられていると共に、前記制御手段（制御装置２００）は、前記集塵量検出信号から前記集塵室の集塵量が満杯であるか否かを判断して、満杯でなければ前記プリーツフィルタの除塵時に前記バイパスフィルタの目詰まり状態を前記目詰検出手段で検出させるようになっている。
【図面の簡単な説明】
【０１２９】
【図１】この発明に係る電機掃除機の外観を示した斜視図である。
【図２】蓋ケースを外した図１の掃除機本体の外観を示した斜視図である。
【図３】図２に示す掃除機本体の平面図である。
【図４】集塵容器を外した図２の掃除機本体の一部を拡大した斜視図である。
【図５】掃除機本体の円筒車軸に装着した捩りコイルバネ１８を示した説明図である。
【図６】クランプの係止爪と蓋ケースの係合部材との係合関係を示した説明図である。
【図７】集塵容器のポップアップ機構を示した説明図である。
【図８】クランプを示した平面図である。
【図９】蓋ケースのロックの解除と集塵ケースのロックの解除とを示した説明図である。
【図１０】集塵ユニットの外観を示した斜視図である。
【図１１】集塵容器の外観を示した斜視図である。
【図１２】集塵ユニットの構成を示した横断面図である。
【図１３】塵埃分離部の外観を示した斜視図である。
【図１４】掃除機本体の横断面図である。
【図１５】集塵容器がポップアップされた状態を示した説明図である。
【図１６】蓋ケースの開成を説明するための掃除機本体の側面図である。
【図１７】集塵容器がポップアップされた状態を示した説明図である。
【図１８】除塵手段と収納ケースの前壁部を示した説明図である。
【図１９】開閉機構の構成を示した斜視図である。
【図２０】開閉機構と塵埃分離部とを示した斜視図である。
【図２１】通常の掃除を行う際の風路を示した概念図である。
【図２２】空気洗浄を行う際の風路を示した概念図である。
【図２３】第１実施例の塵埃分離部の構成を示した水平断面図である。
【図２４】塵埃分離部と戻し風路管を示した説明図である。
【図２５】図２３の塵埃分離部と戻し風路管の外観を示した斜視図である。
【図２６】電気掃除機本体の構成を示した縦断面図である。
【図２７】収納ケースを示した斜視図である。
【図２８】図２７に示す収納ケースを示した斜視図である。
【図２９】図２８に示す収納ケースの背面図である。
【図３０】集塵ユニットの外観を示した斜視図である。
【図３１】収納ケースに装着されたアームと第３開閉弁を示した説明図である。
【図３２】アームと第３開閉弁を示した斜視図である。
【図３３】第６開閉弁が開成した集塵ユニットの外観を示した斜視図である。
【図３４】第６開閉弁と外気導入口とを示した説明図である。
【図３５】除塵手段の構成を示した横断面図である。
【図３６】図３５に示す除塵手段の従断面図である。
【図３７】制御系の構成を示したブロック図である。
【符号の説明】
【０１３０】
２４・・・電動送風機
２４Ａ・・・吸込開口
２７Ａ・・・開口（吸込流風路）
２８・・・第４開閉弁
５２・・・塵埃分離部（メイン塵埃分離・捕集手段の一部）
５７Ａ・・・吸込接続口（吸込風路）
８４Ａ・・・接続開口（吸込風路）
８４Ｆ・・・外気導入口（洗浄風導入風路）
４１０・・・集塵容器（メイン塵埃分離・捕集手段の一部）
１００・・・プリーツフィルタ
２００・・・制御装置（制御手段）
２１００・・・除塵手段
２５００・・・バイパス風路
２５０２・・・第５開閉弁
２５１１・・・戻り風路（細塵戻し風路）
Ｋ１・・・第１開閉弁
Ｋ２・・・第２開閉弁
Ｋ３・・・第３開閉弁
Ｋ６・・・第６開閉弁
ＰＦ・・・フィルタ（バイパスフィルタ）
ＳＡ・・・集塵量センサ
ＳＢ・・・目詰検出手段
ＳＰ・・・報知手段
【図１】
2008036264.tif 000003
【図２】
2008036264.tif 000004
【図３】
2008036264.tif 000005
【図４】
2008036264.tif 000006
【図５】
2008036264.tif 000007
【図６】
2008036264.tif 000008
【図７】
2008036264.tif 000009
【図８】
2008036264.tif 000010
【図９】
2008036264.tif 000011
【図１０】
2008036264.tif 000012
【図１１】
2008036264.tif 000013
【図１２】
2008036264.tif 000014
【図１３】
2008036264.tif 000015
【図１４】
2008036264.tif 000016
【図１５】
2008036264.tif 000017
【図１６】
2008036264.tif 000018
【図１７】
2008036264.tif 000019
【図１８】
2008036264.tif 000020
【図１９】
2008036264.tif 000021
【図２０】
2008036264.tif 000022
【図２１】
2008036264.tif 000023
【図２２】
2008036264.tif 000024
【図２３】
2008036264.tif 000025
【図２４】
2008036264.tif 000026
【図２５】
2008036264.tif 000027
【図２６】
2008036264.tif 000028
【図２７】
2008036264.tif 000029
【図２８】
2008036264.tif 000030
【図２９】
2008036264.tif 000031
【図３０】
2008036264.tif 000032
【図３１】
2008036264.tif 000033
【図３２】
2008036264.tif 000034
【図３３】
2008036264.tif 000035
【図３４】
2008036264.tif 000036
【図３５】
2008036264.tif 000037
【図３６】
2008036264.tif 000038
【図３７】
2008036264.tif 000039